(57)【要約】      （修正有）【課題】かご床上でかご室の新規取付または既設品の交換作業を行うことを可能にするエレベータ装置のかご室およびその組立工法を得る。【解決手段】かご床６２と、かご床の周縁に延設された壁幅木取付台２３と、壁幅木取付台２３上に所定の隙間を持って配列されて、壁幅木取付台２３に固着された複数のかご室壁１１と、隣接するかご室壁１１間の隙間を塞ぐように配設されたかご室組立用目地と、を備え、複数のかご室壁１１のそれぞれは、側壁１２ａ，１２ｂと、側壁１２ａ，１２ｂに固着されたナット部とを有しており、複数のかご室壁１１は、かご室壁連結用ブラケットが高さ方向に所定の間隔を持って、隣接するかご室壁１１の相対する側壁１２ａ，１２ｂ間の隙間に挿入され、第１のボルトを隙間側からかご室壁連結用ブラケットの相対する側片を挿通してナット部に締着固定され、互いに連結されている。【選択図】図１０
2007210748.tif 000002
【特許請求の範囲】
【請求項１】
かご床と、
上記かご床の乗降口の一側から該かご床の周縁に沿って該乗降口の他側に至るように延設された壁幅木取付台と、
上記壁幅木取付台上に所定の隙間を持って該壁幅木取付台の延設方向に配列されて、該壁幅木取付台に固着された複数のかご室壁と、
隣接するかご室壁間の隙間を塞ぐように配設されたかご室組立用目地と、
上記複数のかご室壁の上部開口を塞ぐ天井板と、
を備えたエレベータ装置のかご室において、
上記複数のかご室壁のそれぞれは、その両側辺を高さ方向の全域に渡って裏面側に折り曲げられた側壁と、該側壁に固着されたナット部とを有しており、
上記複数のかご室壁は、Ｕ字状のかご室壁連結用ブラケットがその反開口側を昇降路壁側に向けて、かつ、高さ方向に所定の間隔を持って、上記隣接するかご室壁の相対する上記側壁間の隙間に複数挿入され、第１のボルトを上記隙間側から上記かご室壁連結用ブラケットの相対する側片のそれぞれを挿通して上記ナット部に締着固定して該かご室壁連結用ブラケットを介して互いに連結されていることを特徴とするエレベータ装置のかご室。
【請求項２】
上記第１のボルトの上記かご室壁連結用ブラケットのＵ字状の相対する両側片を挿通する高さが、互いに異なることを特徴とする請求項１記載のエレベータ装置のかご室。
【請求項３】
上記複数のかご室壁のそれぞれは、上記側壁の下端側を切り欠いて形成された切りかき部と、Ｌ字状をなし、上記切りかき部に近接して、かつ、その一片を上記かご室壁の裏面から直角に延出するように上記かご室壁の裏面下端に固着されたかご室壁取付金具とを有しており、
上記複数のかご室壁のそれぞれは、第２のボルトを上記かご室壁取付金具のＬ字状の一片を挿通して上記壁幅木取付台に締着固定して該壁幅木取付台に固着されていることを特徴とする請求項１又は請求項２記載のエレベータ装置のかご室。
【請求項４】
上記かご室組立用目地は、上記隣接するかご室壁の相対する上記側壁間の隙間を塞口する目地板と、上記目地板の裏面に突設された開脚自在の目地足と、上記目地板の表面側から該目地板にねじ込んで上記目地足を開脚させるねじと、を備え、
上記かご室組立用目地は、上記目地足が上記隣接するかご室壁の相対する上記側壁間の隙間に挿入されて上記目地板で該隙間を塞口し、上記ねじを上記目地板の表面側から該目地板にねじ込んで開脚させた上記目地足を相対する上記側壁に押し付けて取り付けられていることを特徴とする請求項１乃至請求項３のいずれか１項に記載のエレベータ装置のかご室。
【請求項５】
上記請求項１乃至請求項４のいずれか１項に記載のエレベータ装置のかご室組立工法において、
上記複数のかご室壁を、上記側壁間に所定の隙間を有するように上記壁幅木取付台上に配列し、該かご室壁を該壁幅木取付台に固着する工程と、
上記かご床の周縁に沿って延設された上記壁幅木取付台の表面側から、上記かご室壁連結用ブラケットをその反開口側を昇降路壁側に向けて、かつ、高さ方向に所定の間隔を持って、隣接するかご室壁の相対する上記側壁間の隙間に複数挿入し、さらに上記第１のボルトを上記隙間側から上記かご室壁連結用ブラケットの相対する側片のそれぞれを挿通して上記ナット部に締着固定して、上記複数のかご室壁を互いに連結する工程と、
隣接するかご室壁の相対する上記側壁間の隙間を塞口するように上記かご室組立用目地を取り付ける工程と、を備えていることを特徴とするエレベータ装置のかご室組立工法。
【請求項６】
上記かご室壁を上記壁幅木取付台に固着する工程において、上記かご床の周縁に沿って延設された上記壁幅木取付台の表面側から、上記切りかき部を利用して上記第２のボルトを上記かご室壁取付金具のＬ字状の一片を挿通させて上記壁幅木取付台に締着固定することを特徴とする請求項５記載のエレベータ装置のかご室組立工法。
【請求項７】
上記かご室組立用目地を取り付ける工程において、上記かご床の周縁に沿って延設された上記壁幅木取付台の表面側から、上記目地板で隣接する壁の相対する隙間を塞口するように上記目地足を該隙間に挿入し、上記ねじを上記目地板の表面側から該目地板にねじ込んで上記目地足を開脚させることを特徴とする請求項５又は請求項６記載のエレベータ装置のかご室組立工法。
【発明の詳細な説明】
【技術分野】
【０００１】
この発明は、かご床上でかご室壁を組立可能なエレベータ装置のかご室およびその組立工法に関するものである。
【背景技術】
【０００２】
図１４は従来のエレベータ装置のかご室の組立工法を説明する図、図１５は従来のかご室の側面図、図１６は図１５のＸＶI−ＸＶI矢視断面図、図１７は図１６のＣ部拡大断面図である。
図１４において、従来のエレベータ装置５０は、昇降路壁７７および乗り場戸７８に囲まれる昇降路５１内を走行可能に配設されるかご５２、昇降路５１上部に設置される機械室５３およびエレベータ制御装置５４を備えている。
機械室５３には駆動綱車５５およびそらせ車５６が設置されている。そして、つり合いロープ５８が駆動綱車５５に掛け渡され、その一端側が昇降路５１内に垂下され、その他端側がそらせ車５６に掛けられて昇降路５１内に垂下されている。さらに、かご５２は、かご室５７とかご室５７を支えるかご枠６９とで構成される。かご枠６９はつり合いロープ５８の一端に固着され、また、つり合いおもり５９がつり合いロープ５８の他端に固着されている。また、かご５２は昇降路内に設置されるガイドレール６０を挟みこむように設置されるかごガイドシュー（図示せず）を備えている。
【０００３】
そして、駆動綱車５５は機械室５３に設置されたエレベータ制御装置５４と電気配線６１にて接続されている。駆動綱車５５がエレベータ制御装置５４によって駆動制御され、かご５２が、昇降路５１内をガイドレール６０に案内されて昇降される。
【０００４】
次に、従来の組み立て工法によって組み立てられるかご室５７のかご室壁６５の連結構造について図１５〜図１７を参照しつつ説明する。
かご室５７は、略正方形のかご床６２、天井板６３、幅木６４、板状の複数のかご室壁６５、出入り口柱６６、乗降口６８およびかご戸６７を有している。
幅木６４が略正方形のかご床６２の乗降口６８の一側からかご床６２の周縁に沿って乗降口６８の他側に至るように延設されている。さらに複数のかご室壁６５が幅木６４の上端に立設されている。そして、天井板６３が、かご室壁６５の上端に固定されている。また、出入り口柱６６が乗降口６８の両側に配設されている。
【０００５】
かご室壁６５は、矩形平板の長辺に沿った両端部を矩形平板の裏面側に垂直に折り曲げて形成される。かご室壁６５は、その裏面側をかご室５７の外に向けて幅木６４の上部に立設されている。このとき、乗降口６８側を除いたかご床６２の各辺では、幅木６４の上部にかご室壁６５が３枚ずつ立設され、乗降口６８を有する辺には、両側に幅木６４およびかご室壁６５が一枚ずつ立設されている。
【０００６】
また、かご室壁６５は、微小間隔の隙間をあけてそれぞれ配設される。そして、この隙間を覆うように化粧目地７０または７１が配設される。隣り合うかご室壁６５の壁面が垂直に配置される角部の隙間には断面レの字状の化粧目地７０が挿入され、隣り合うかご室壁６５の壁面が水平に配置される部分の隙間には断面Ｔ字状の化粧目地７１が挿入されている。
【０００７】
かご室壁６５の折り曲げ部には、かご床６２に垂直な方向に沿って所定の間隔で複数の孔が形成されており、さらに化粧目地７０，７１の突出部にも、レの字状またはＴ字状の突出部を隣り合うかご室壁６５の隙間に挿入したときに、それぞれ折り曲げ部に形成された孔に対応する孔が形成されている。そして、隣接するかご室壁６５と化粧目地７０または７１は、ボルト７２を折り曲げ部の孔および化粧目地７０，７１の孔に挿入し、ボルト７２の先端をナット７３と螺合させることにより共締めされる。
【０００８】
かご室壁６５の折り曲げ部に形成されたすべての孔および化粧目地７０，７１に形成されたすべての孔にも同様にボルト７２を挿入し、ナット７３を用いて締結することにより、複数のかご室壁６５がかご床６２の外縁に沿って立設された状態で連結固定される。また、かご室壁６５の隙間が化粧目地７０，７１に覆われるので、かご室壁６５内の意匠性が向上される。
【０００９】
上記のボルトおよびナットによるかご室壁６５の連結固定の作業は、図１４示すように作業員８０が、昇降路５１内のピットの床面７４に、土台７９を設けて組み立てられた足場７５に固定される作業台７６に乗りながら行われる。つまりは、かご室壁６５の連結固定の作業は、かご室５７の外側の昇降路５１から行っていた。
【発明の開示】
【発明が解決しようとする課題】
【００１０】
かご室壁６５の連結固定作業は、かご室の外側の昇降路５１で行われるため、かご室壁６５などの取替え部品が、ピットの床面７４へ落下したり紛失したりする場合がある。また、昇降路５１内の作業スペースは狭く、作用効率が著しく低下される。
また、作業員８０が作業台７６上で安定して作業するためには、強固に足場７５を組み立てる必要があるため、組立または撤去作業には長時間を要する。よって、かご室５７の組立てには、足場７５および作業台７６の組立や撤去作業にかかる費用や、足場７５および作業台７６の部品費用などの準備費用が計上されてコストが増大していた。
【００１１】
本発明は、上記の課題を解決するためになされたものであり、かご床上でかご室壁の新規取付または既設品の交換作業を行うことを可能にするエレベータ装置のかご室およびその組立工法を得ることを目的とする。
【課題を解決するための手段】
【００１２】
この発明によるエレベータ装置のかご室は、かご床と、かご床の乗降口の一側からかご床の周縁に沿って乗降口の他側に至るように延設された壁幅木取付台と、壁幅木取付台上に所定の隙間を持って壁幅木取付台の延設方向に配列されて、壁幅木取付台に固着された複数のかご室壁と、隣接するかご室壁間の隙間を塞ぐように配設されたかご室組立用目地と、複数のかご室壁の上部開口を塞ぐ天井板と、を備え、複数のかご室壁のそれぞれは、その両側辺を高さ方向の全域に渡って裏面側に折り曲げられた側壁と、側壁に固着されたナット部とを有しており、複数のかご室壁は、Ｕ字状のかご室壁連結用ブラケットがその反開口側を昇降路壁側に向けて、かつ、高さ方向に所定の間隔を持って、隣接するかご室壁の相対する側壁間の隙間に複数挿入され、第１のボルトを隙間側からかご室壁連結用ブラケットの相対する側片のそれぞれを挿通してナット部に締着固定してかご室壁連結用ブラケットを介して互いに連結されている。
【発明の効果】
【００１３】
この発明によれば、複数のかご室壁は、Ｕ字状のかご室壁連結用ブラケットがその反開口側を昇降路壁側に向けて、側壁間の隙間に複数挿入されているので、第１のボルトをかご室壁間の隙間側からかご室壁連結用ブラケットの相対する側片のそれぞれを挿通できる。そして第１のボルトをナット部に締着させて、隣接するかご室壁を連結固定している。  従って、複数のかご室壁の連結固定作業が、作業スペースの広い、かつ安定したかご床で行うことができるので作業性が向上し、かご室の組立工期を短縮することができる。
【発明を実施するための最良の形態】
【００１４】
以下、この発明を実施するための最良の形態について、図面を参照して説明する。
図１はこの発明に係るエレベータ装置のかご室をかご床に水平方向に切断した断面図、図２は図１のＡ部拡大断面図、図３はこの発明に係るエレベータ装置のかご室のかご室組立用目地の側面図、図４はこの発明に係るエレベータ装置のかご室のかご室組立用目地の平面図、図５はこの発明に係るエレベータ装置のかご室のかご室組立用目地にネジが挿入され状態を示す平面図である。図６はこの発明に係るエレベータ装置のかご室のかご室意匠壁の斜視図、図７はこの発明に係るエレベータ装置のかご室のかご室壁にかご室壁取付金具がとりつけられた状態を示す平面図、図８はこの発明に係るエレベータ装置のかご室のかご室壁にかご室壁取付金具がとりつけられた状態を示す斜視図、図９はこの発明に係るエレベータ装置のかご室のかご室壁連結用ブラケットの斜視図、図１０は図１におけるＢ部をかご床面と垂直な方向に切り取り、かご室内から見た状態を示す斜視図である。図１１は図１０の一部を考慮しない斜視図、図１２はこの発明に係るエレベータ装置のかご室において、隣接するかご室壁の連結部分を昇降路壁側からみた斜視図、図１３は図１０のＸＩＩＩ−ＸＩＩＩ矢視断面図である。
【００１５】
なお、上記従来技術と同一または相当部分には同一符号を付し、その説明は省略する。また、説明の便宜上、かご室４０の組立工法の説明では、乗降口６８を有しないかご床６２の一辺に沿ったかご室４０の一部を図示する。
また、エレベータ装置の構成は、かご室４０の構成を除いて従来のエレベータ装置５０と同様に構成されている。さらに、かご室４０の側面図の形状は上記説明の図１５と略同様である。
【００１６】
まず、図１、図２および図１０を用いてかご室４０の主要構成について説明する。
かご室４０は、壁幅木取付台２３が略正方形のかご床６２の乗降口６８の一側からかご床６２の周縁に沿って乗降口６８の他側に至るように延設されている。そして、かご室壁１１が壁幅木取付台２３上に所定の隙間を持って壁幅木取付台２３の延設方向に配列されて、壁幅木取付台２３に固着されている。さらに、隣接するかご室壁１１がその相対する側壁１２ａ，１２ｂ間の隙間に挿入されたかご室壁連結用ブラケット１８を介して互いに連結されている。また、かご室組立用目地１が隣接するかご室壁１１の隙間を塞口するように取り付けられ、さらに天井板（図示せず）がかご室壁１１の上部開口を塞口するように取り付けられている。そして、後述するように幅木２４が壁幅木取付台２３の表面に取り付けられ、さらにかご室意匠壁８がかご室壁１１の表面に取り付けられている。
【００１７】
以下、かご室４０の構成部材のそれぞれについて、図面を参照しつつ説明する。
図３〜図５において、かご室組立用目地１は、板状の目地板２、壁押し付け面４を有する目地足３およびねじ７とで構成される。
目地板２は、矩形平板状に形成される。そして、２段の凹部を有する溝が、矩形平板の表面側で両短辺の中央部を接続するように凹設される。そして、矩形平板の表面側の角部はそれぞれ所定の角度に切りかかれている。また、溝の底と矩形平板の裏面（目地板２の裏面）との間を貫通する孔が目地板２の長辺の長さ方向に所定の間隔で５つ形成されている。
【００１８】
目地足３は断面Ｖ字の扁平柱状に形成されて、その開口部側からＶ字の凸部に向かってテーパ状に広がるねじタップ６が切られている。また、断面Ｖ字の凸部側が平坦にカットされている。さらに、開口部近傍のそれぞれの側壁面は削られて、側壁面同士が互いに平行になるように形成されている。目地足３の開口部近傍に形成された平行な側壁面を壁押し付け面４とする。
【００１９】
そして、５つの目地足３がＶ字の凸部側を目地板２の裏面側の孔の形成箇所に向けてかつ目地板２の孔の形成箇所にねじタップ６を対応させて目地板２に取り付けられている。
そして図５に示すように、目地板２の裏面に突設された目地足３は、ねじ７を目地板２の表面側から、目地板２の孔および目地足３のねじタップ６にねじ込むと開脚する構造となっている。
【００２０】
図６において、かご室意匠壁８は矩形平板状に形成される意匠用基礎壁９の表裏を同じサイズの矩形平板状の意匠表面壁１０ａ，１０ｂで挟みこんで形成される。意匠表面壁１０ａ,１０ｂは同じ材質で形成されている。
【００２１】
図７、図８において、かご室壁１１は、矩形平板の長辺に沿った両端部のそれぞれを矩形平板の裏面（かご室壁１１の裏面）側に垂直に折り曲げ、さらに折り曲げられた矩形平板部分を再度垂直に折り曲げて形成される。このとき、矩形平板の長辺に沿った両端部が断面コの字を形成するように折り曲げられている。矩形平板を折り曲げて形成された４つの壁を折り曲げ部とし、このうち対向する折り曲げ部を側壁１２ａ，１２ｂとする。また、図示しないが、図７、図８において、側壁１２ａの折り曲げ角度が、矩形平板の裏面に対して１３５度になるように折り曲げられたかご室壁も用意されている。
【００２２】
さらに、切りかき部１３ａ，１３ｂが、折り曲げ部の短辺の一辺側（下端側）をそれぞれ切りかいて形成されている。また、側壁１２ａ，１２ｂのそれぞれには、５つの孔１４が、側壁１２ａ，１２ｂの長辺の長さ方向に所定の間隔で形成されている(孔１４の図示は一部省略する）。
さらに、予めタップが切られている５つのナット部１５が、タップを側壁１２ａ，１２ｂの孔１４に対応させて、かつ、側壁１２ａ，１２ｂの対向する壁面のそれぞれに溶接固定されている。さらに、かご室壁１１の孔１４およびナット部１５のタップは後述のかご室壁連結用ブラケット１８に形成されるボルト締結用孔２０ａ，２０ｂに対応している。
【００２３】
また、矩形平板をＬ字状に折り曲げて形成されるかご室壁取付金具１６が、切りかき部１３ａ，１３ｂ近傍のかご室壁１１の裏面に取り付けられている。このとき、かご室壁１１の裏面の短辺の一辺側縁部に、かご室壁取付金具１６のＬ字の角部に沿った辺が合わせられている。そして、かご室壁取付金具１６のＬ字状の一片が、かご室壁１１の裏面と垂直方向に延設された状態で、Ｌ字状の他片が、かご室壁１１の裏面に溶接にて固定されている。また、かご室壁取付金具１６のＬ字状の一片には、かご室壁１１を後述する壁幅木取付台２３に固定するための第１の通し孔１７が形成されている。
【００２４】
図９において、かご室壁連結用ブラケット１８は、矩形平板をＵ字に折り曲げて形成される。そして、かご室壁連結用ブラケット１８の側片１９ａ，１９ｂには、ボルト締結用孔２０ａ，２０ｂが形成されている。また、ボルト締結用孔２０ａ，２０ｂは、それぞれの軸をずらして形成されている。
【００２５】
図１０〜図１３において、壁幅木取付部２１が、幅木固定金具２２、壁幅木取付台２３、突出部３９ａ，３９ｂを有する幅木２４および意匠表面壁受け板２５で構成される。
【００２６】
幅木２４は、かご床６２の一辺よりやや短い長辺を有する矩形平板の長辺に沿った両端部が裏面（幅木２４の裏面）側に垂直に折り曲げられて形成される。さらに、突出部３９ａ，３９ｂは、それぞれの先端部が凸に形成される掛止め部２８ａ，２８ｂを有し、それぞれの掛止め部２８ａ，２８ｂの凸部が向かい合うように幅木２４の裏面に形成されている。また、突出部３９ａ，３９ｂは、幅木２４の長辺の長さ方向全域にわたって延設している。
【００２７】
壁幅木取付台２３は、幅木２４と同じ長さの長辺を有する矩形平板の長辺に沿った両端部のそれぞれを矩形平板の表面（壁幅木取付台２３の表面）側に垂直に折り曲げられた壁を有する形状に形成される。壁幅木取付台２３の対向する壁は、壁幅木取付台２３の表面と垂直方向の長さが異なっている。このうち、長さの短い壁をかご室壁支持壁２６、長さの長い壁を床設置壁３２とする。そして、かご室壁支持壁２６の長辺の長さ方向には、第２の通し孔２７が形成されている。第２の通し孔２７はかご室壁１１に取り付けられたかご室壁取付金具１６に形成された第１の通し孔１７に対応して形成されている。
【００２８】
幅木固定金具２２は、幅木２４と同じ長さの長辺を有する矩形平板の長辺に沿った両端部のそれぞれを矩形平板の表面（幅木固定金具２２の表面）側に折り曲げた突出壁を有する形状に形成される。突出壁のそれぞれは、その先端部を凸にして形成される掛止め部２８ｃ，２８ｄを有し、掛止め部２８ｃ，２８ｄの凸部が相反する向きに形成されている。また、ストッパ２９が突出壁の外壁から突出して形成されている。
また、突出壁およびストッパ２９は、幅木固定金具２２の裏面の長辺の長さ方向全域にわたって延設されている。そして、幅木固定金具２２が、その裏面を壁幅木取付台２３の表面に接着させて取り付けられる。
【００２９】
また、幅木２４の裏面と幅木固定金具２２の表面とを向かい合わせたときに、掛止め部２８ａと２８ｃおよび掛止め部２８ｂと２８ｄがそれぞれ合い向かうように配設されている。そして幅木２４を幅木固定金具２２に押し込むと、掛止め部２８ａ，２８ｂが掛止め部２８ｃ，２８ｄと係合し、幅木２４は幅木固定金具２２に掛止めされ、さらにストッパ２９によって幅木２４の移動は制限される。これにより、幅木２４は壁幅木取付台２３に容易に固定することができる。
意匠表面壁受け板２５は、幅木２４と同じ長さの長辺を有する矩形平板に形成され、さらに第３の通し孔３０が意匠表面壁受け板２５を貫通して形成されている。第３の通し孔３０は、後述するように意匠表面壁受け板２５の上部に配設されるかご室壁取付金具１６に形成された第１の通し孔１７に対応して形成されている。
【００３０】
次にかご室４０の組立工法について図１、図２および図１０〜図１３を参照しつつ説明する。
まず、壁幅木取付台２３は、その床設置壁３２をかご床６２と接した状態でかご室４０の乗降口６８を除いた４辺に沿って配設されている。さらに、意匠用の床タイル３１が、かご床６２および壁幅木取付台２３の床設置壁３２を覆って配設されているものとする。
【００３１】
そして、かご室壁支持壁２６の上部に、カラー３３、意匠表面壁受け板２５、座金３４およびかご室壁取付金具１６が溶接固定されているかご室壁１１の順に配置させる。
このとき、かご室壁１１は、切りかき部１３ａ，１３ｂを壁幅木取付台２３側に向け、かつ側壁１２ａ，１２ｂが高さ方向の全域に渡って、かご室壁１１の裏面側に折り曲げられた状態で配列されている。
また、かご室壁支持壁２６の第２の通し孔２７にカラー３３の空洞部、意匠表面壁受け板２５の第３の通し孔３０、座金３４の孔およびかご室壁取付金具１６の第１の通し孔１７が対応している。
【００３２】
また、隣り合うかご室壁１１の表面が垂直に配置される部分には、かご室壁１１の側壁の一端がかご室壁１１の裏面に対して１３５度に折り曲げられたものを配設し、隣り合うかご室壁１１の表面が水平に配置されるかご室壁１１には、側壁１２ａ，１２ｂがかご室壁１１の裏面の壁面に対して垂直に折り曲げられているものを配設する。さらに、隣接するかご室壁１１の間隔は、Ｕ字に形成されるかご室壁連結用ブラケット１８の側片１９ａ，１９ｂの間隔よりわずかに広く形成されている。また、カラー３３を用いることにより、かご室４０内部と昇降路５１側との間に空隙が生じ通気性が確保される。
【００３３】
そして、第１の通し孔１７から第２のボルト３６をかご室壁取付金具１６のＬ字状の一片、座金３４、意匠表面壁受け板２５およびカラーに挿通し、かご室壁支持壁２６の内壁面側からナット３５を第２のボルト３６に螺合させて締着固定する。これにより、かご室壁１１が壁幅木取付台２３に固着される。
上記のかご室壁１１の壁幅木取付台２３への固定作業は、かご室４０内のかご床６２上に配設した床タイル３１上を作業スペースとして、壁幅木取付台２３の表面側から切りかき部１３ａ，１３ｂによる空間を介して行われる。
【００３４】
説明では、一部のかご室壁１１について説明したが、他のかご室壁１１も同様にして壁幅木取付台２３に意匠表面壁受け板２５、カラー３３および座金３４を介して固着される。従って、図１に示すように、複数のかご室壁１１が隣接した状態で、かつ側壁１２ａ，１２ｂ間に所定の隙間を有した状態で壁幅木取付台２３上に配設される。
このとき、意匠表面壁受け板２５は、かご室壁１１の表面に対してかご室意匠壁８の厚さだけ端面を突出させた状態で配設されている。
【００３５】
そして、幅木２４が、その掛止め部２８ａ，２８ｂと幅木固定金具２２の掛止め部２８ｃ，２８ｄとを係合させて掛止めすることにより、壁幅木取付台２３に固定される。
さらに、隣接するかご室壁１１の隙間にかご室壁連結用ブラケット１８をＵ字の反開口面を昇降路壁７７側に向けて挿入する。かご室壁連結用ブラケット１８のＵ字状の凹部の外壁の幅は隣接するかご室壁１１の側壁１２ａ，１２ｂの距離よりわずかに小さく形成されており、側壁１２ａ，１２ｂの隙間に側片１９ａ，１９ｂを挿入することが可能である。
【００３６】
そして、隣接するかご室壁１１間は、かご室壁連結用ブラケット１８の側片１９ａ，１９ｂに形成されたボルト締結用孔２０ａ，２０ｂおよびかご室壁１１に固定したナット部１５のタップに第１のボルト３７を側片１９ａ，１９ｂ側から挿通し、第１のボルト３７をナット部１５のタップに螺合させることにより、強固に固定される。
そして、かご室壁１１は、かご室壁１１の高さ方向に所定の間隔を持って形成されているナット部１５のタップすべてに、第１のボルト３７を螺合させることにより、かご室壁連結用ブラケット１８を介して互いに連結固定される。
【００３７】
ここで、かご室壁連結用ブラケット１８のボルト締結用孔２０ａ,２０ｂは、軸をずらして形成されているので、第１のボルト３７を挿通する高さが互いに異なっている。そして、図２に示すように、第１のボルト３７の長さＹは、かご室壁連結用ブラケット１８の側片１９ａ，１９ｂの内壁面間の距離Ｘより短いものが用いられる。従って、かご床６２上（床タイル３１上）を作業スペースとして、第１のボルト３７をかご室壁連結用ブラケット１８の開口部側から挿通させて、ナット部１５のタップに螺合できる。
ボルト締結用孔２０ａ,２０ｂのそれぞれの軸をずらして形成したことにより、第１のボルト３７の頭の厚さだけ、隣接するかご室壁１１の隙間を狭めて配置させることができる。
【００３８】
次に、かご室意匠壁８をかご室壁１１のそれぞれを覆うように配設する。このとき、意匠表面壁受け板２５のかご室４０の内部側の端面はかご室壁１１の表面より突出しているので、意匠表面壁受け板２５上にかご室意匠壁８が乗せられて、かご室意匠壁８が、意匠表面壁受け板２５上で支持されている。さらに、かご室壁１１のかご室組立用目地１の目地足３を隣接するかご室壁１１の相対する側壁１２ａ，１２ｂの隙間に挿入させて目地板２で隙間を塞口する。目地足３の壁押し付け面４の間隔は、隣接するかご室壁１１の側壁１２ａ，１２ｂの間隔よりわずかに小さく形成されている。さらにかご室意匠壁８を目地板２の裏面で押し付ける。この状態で、かご室組立用目地１のねじタップ６にねじ７を目地板２の表面側からねじ込む。これにより、目地足３がさらに開脚するので、目地足３の壁押し付け面４がかご室壁１１の側壁１２ａ，１２ｂに押しつけられて、かご室組立用目地１がかご室壁１１に固定される。
【００３９】
そして、目地板２の表面に凹設された溝部に断面Ｕ字状で目地板２の長辺の長さと同じ長さを有するフサギ板３８をはめ込んで、止め具（図示せず）にて目地板２に掛止めする。フサギ板３８によってかご室組立用目地１に挿入したねじ７が覆われて、ねじ７はかご室４０の内部から見えなくなるので意匠性が向上される。
上記のかご室組立用目地１のかご室壁１１への固定作業は、床タイル３１上を作業スペースとして壁幅木取付台２３の表面側から行っている。
【００４０】
また、図１に示すように乗降口６８の両側に設置されるかご室壁１１は、ボルト７２とナット７３を用いて出入り口柱６６に固定されるが、この作業はかご室４０の外側から行われる。しかしながら、乗降口６８側においてはかご室４０の外部側のかご床６２は広い面積を有している。この広い面積のかご床６２を作業スペースとして利用でき、さらには、かご戸６７の設置前にかご室壁１１の連結固定作業が行われるため、かご戸６７と対向する乗り場ロビー側の床（図示せず）も作業スペースに利用できる。従って、かご室壁１１は出入り口柱６６にかご室４０の外部から容易に連結固定できる。
なお、作業スペースが狭い場合には、かご室組立用目地１を用いて乗降口６８の両側に設置されるかご室壁１１を取り付けることも可能である。
【００４１】
この発明によれば、かご室壁１１は、折り曲げ部の下端側が切りかかれて切りかき部１３ａ，１３ｂが形成されている。そして、かご室壁支持壁２６の上部に、カラー３３、意匠表面壁受け板２５、座金３４、およびかご室壁取付金具１６が切りかき部１３ａ，１３ｂの近傍に溶接固定されているかご室壁１１が配置される。
【００４２】
このとき、このとき、かご室壁１１は、切りかき部１３ａ，１３ｂを壁幅木取付台２３側に向け、かつ側壁１２ａ，１２ｂが高さ方向の全域に渡って、かご室壁１１の裏面側に折り曲げられた状態で配置されている。さらに、かご室壁支持壁２６の第２の通し孔２７にカラー３３の空洞部、意匠表面壁受け板２５の第３の通し孔３０、座金３４の孔およびかご室壁取付金具１６の第１の通し孔１７が対応させた状態で配設される。そして、壁幅木取付台２３の表面側から切りかき部１３ａ，１３ｂを利用して、第２のボルト３６を挿通し、ナット３５を第２のボルト３６に螺合してかご室壁取付金具１６とかご室壁支持壁２６との間を締着固定する。これにより、かご室壁１１が壁幅木取付台２３に固定される。つまり、かご室壁取付金具１６近傍のかご室壁１１には、切りかき部１３ａ，１３ｂが形成されているので、この作業は、かご床６２上で行うことができる。
【００４３】
また、かご室壁１１は、その裏面を昇降路壁７７側に向けた状態で配設されているので、かご室壁１１の側壁１２ａ，１２ｂには５つの孔１４が、側壁１２ａ，１２ｂの長辺の長さ方向に所定の間隔で形成されている。さらに、予めタップが切られているナット部１５が孔１４に対応して溶接固定されている。
【００４４】
そして、隣接するかご室壁１１の隙間に、ボルト締結用孔２０ａ，２０ｂを有するかご室壁連結用ブラケット１８をＵ字の反開口側を昇降路壁側に向けて挿入する。そして、隣接するかご室壁１１の隙間側から第１のボルト３７を側片１９ａ，１９ｂに形成されたボルト締結用孔２０ａ，２０ｂに挿通し、ナット部１５のタップに第１のボルト３７を螺合させることにより、隣接するかご室壁１１を連結固定することができる。
上記のかご室壁１１の連結固定作業は、隣接するかご室壁１１の隙間から第１のボルト３７を挿入して締結するので、かご床６２上で行うことができる。
【００４５】
さらに、かご室組立用目地１が、目地板２の裏面に突設する開脚自在の目地足３を側壁１２ａ，１２ｂ間に挿入しつつ、目地板２でかご室壁１１の相対する側壁１２ａ，１２ｂ間の隙間を塞口して配設される。そして、ねじ７が目地足３に形成されたねじタップ６にねじ込まれると、目地足３が開脚されて、かご室壁１１の相対する側壁１２ａ，１２ｂに押し付けられる。これにより、かご室組立用目地１がかご室壁１１に固定される。
上記のかご室組立用目地１のかご室壁１１への固定作業は、壁幅木取付台２３の表面側から、ねじ７をねじ込んで目地足３をかご室壁１１の側壁１２ａ，１２ｂに押し付けているので、かご床６２上で行うことができる。
【００４６】
従って、かご室壁１１の壁幅木取付台２３への固定作業、隣接するかご室壁１１の間の連結固定作業およびかご室組立用目地１のかご室壁１１への固定作業が、作業スペースの広い、かつ安定したかご床６２上で行える。よって、かご室壁１１の新規取付または既設品の交換作業においては、作業性が向上し、さらにかご室壁１１の組み立て用に、作業台７６を昇降路５１に設置する必要もなくなるので、工期の短縮とコストが削減されるという効果が得られる。
【００４７】
なお、この発明では、目地足３は目地板２のそれぞれに５つ設けるものとしたが、５つに限定されるものではなく、かご室壁１１の長さに合わせて適宜配設数を決定すればよい。さらに、目地板２の全長と同じ長さを有する目地足３を目地板２の全長に対応させて配設してもよい。
また、かご室意匠壁８の意匠表面壁１０ａ，１０ｂのいずれかが、かご室４０内から見えるように配設するものとして説明したが、かご室意匠壁８を配設するものに限定されるものではなく、かご室壁１１の表面を意匠用の表面壁として利用してもよい。但し、かご室意匠壁８を配設した場合は、表裏に意匠表面壁１０ａ，１０ｂが配設されているので、意匠表面壁１０ａ，１０ｂの一方の面が破損または汚損した場合には、かご室意匠壁８を裏返して新品同様の意匠壁として再利用できる。
【００４８】
また、切りかき部１３ａ，１３ｂは、かご室壁１１の折り曲げ部の下端側に形成されるものとして説明したが、少なくとも、折り曲げ部のうち側壁１２ａ，１２ｂに切りかき部１３ａ，１３ｂが形成されていればよい。
【図面の簡単な説明】
【００４９】
【図１】この発明に係るエレベータ装置のかご室をかご床に水平方向に切断した断面図である。
【図２】図１のＡ部拡大断面図である。
【図３】図３はこの発明に係るエレベータ装置のかご室のかご室組立用目地の側面図である。
【図４】この発明に係るエレベータ装置のかご室のかご室組立用目地の平面図である。
【図５】この発明に係るエレベータ装置のかご室のかご室組立用目地にネジが挿入され状態を示す平面図である。
【図６】の発明に係るエレベータ装置のかご室のかご室意匠壁の斜視図である。
【図７】この発明に係るエレベータ装置のかご室のかご室壁にかご室壁取付金具がとりつけられた状態を示す平面図である。
【図８】この発明に係るエレベータ装置のかご室のかご室壁にかご室壁取付金具がとりつけられた状態を示す斜視図である。
【図９】この発明に係るエレベータ装置のかご室のかご室壁連結用ブラケットの斜視図である。
【図１０】図１におけるＢ部をかご床面と垂直な方向に切り取り、かご室内から見た状態を示す斜視図である。
【図１１】図１０の一部を考慮しない斜視図である。
【図１２】この発明に係るエレベータ装置のかご室において、隣接するかご室壁の連結部分を昇降路壁側からみた斜視図である。
【図１３】図１０のＸＩＩＩ−ＸＩＩＩ矢視断面図である。
【図１４】従来のエレベータ装置のかご室の組立工法を説明する図である。
【図１５】従来のエレベータ装置のかご室の側面図である。
【図１６】図１５のＸＶI−ＸＶI矢視断面図である。
【図１７】図１６のＣ部拡大断面図である。
【符号の説明】
【００５０】
１  かご室組立用目地、２  目地板、３  目地足、７  ねじ、１１  かご室壁、１２ａ，１２ｂ  側壁、１３ａ，１３ｂ  切りかき部、１５  ナット部、１６  かご室壁取付金具、１８  かご室壁連結用ブラケット、１９ａ，１９ｂ  側片、２３  壁幅木取付台、３６  第２のボルト、３７  第１のボルト、４０  かご室、６２  かご床、６８  乗降口、７７  昇降路壁。
【図１】
2007210748.tif 000003
【図２】
2007210748.tif 000004
【図３】
2007210748.tif 000005
【図４】
2007210748.tif 000006
【図５】
2007210748.tif 000007
【図６】
2007210748.tif 000008
【図７】
2007210748.tif 000009
【図８】
2007210748.tif 000010
【図９】
2007210748.tif 000011
【図１０】
2007210748.tif 000012
【図１１】
2007210748.tif 000013
【図１２】
2007210748.tif 000014
【図１３】
2007210748.tif 000015
【図１４】
2007210748.tif 000016
【図１５】
2007210748.tif 000017
【図１６】
2007210748.tif 000018
【図１７】
2007210748.tif 000019